(57)【要約】電波中継局７は、１以上のユーザユニット３へのチャネルを含む信号帯を提供するための低ノイズコンバータ２を備える。この低ノイズコンバータは、１以上のユーザ事前選択されたチャネルをユーザユニット３へ多重化するための周波数多重化手段６を含む、低ノイズチャネルコンバータ２として配置されている。低ノイズチャネルコンバータ２における事前選択の効果により、電波中継局７とユーザユニット３との間の接続は、単一通信媒体５、一般的に既に設置されている同軸ケーブル５、のみを含む。例えば、あるテレビプログラムを見るための、そして、同時に他のプログラムを記録するための要求されたチャネルは、事前選択され、低ノイズブロックの側で１つのケーブルに入力される。
2006500863.tif 000002
【特許請求の範囲】
【請求項１】
１以上のユーザユニットへのチャネルを含む信号帯を提供するための低ノイズコンバータを備え、
前記低ノイズコンバータは、１以上のユーザ事前選択されたチャネルをユーザユニットに多重化するための周波数多重化手段含む、低ノイズチャネルコンバータとして配置されることを特徴とする電波中継局。
【請求項２】
低ノイズチャネルコンバータに連結された局部発振手段を備えることを特徴とする請求項１に記載の電波中継局。
【請求項３】
前記局部発振手段は、可変局部発振周波数を供給するために配置されていることを特徴とする請求項２に記載の電波中継局。
【請求項４】
前記局部発振手段は、１つ以上のフェイズロックループを備えることを特徴とする請求項２又は３に記載の電波中継局。
【請求項５】
請求項１ないし４の何れか１項に記載の電波中継局を備え、
前記低ノイズチャネルコンバータに連結された１つ以上のユーザユニットをさらに備えることを特徴とする衛星受信システム。
【請求項６】
低ノイズチャネルコンバータとユーザユニットとの間の連結は、単一通信媒体、一般的な同軸ケーブル、を含むことを特徴とする請求項５に記載の衛星受信システム。
【請求項７】
低ノイズチャネルコンバータに連結された局部発振手段を備えることを特徴とする請求項５または６に記載の衛星受信システム。
【請求項８】
前記局部発振手段は、可変局部発振周波数を供給するために配置されていることを特徴とする請求項７に記載の衛星受信システム。
【請求項９】
前記局部発振手段は、１つ以上のフェイズロックロープを備えることを特徴とする請求項８に記載の衛星受信システム。
【請求項１０】
前記電波中継局は、合成回路を含み、
前記衛星受信システムは、前記合成回路に連結された１つ以上の更なる低ノイズコンバータの並列配置をさらに備えることを特徴とする請求項５ないし９の何れかに記載の衛星受信システム。
【請求項１１】
各々の更なる低ノイズコンバータは、個々のユーザ事前選択受信チャネルをオンするための更なる局部発振手段が備えられていることを特徴とする請求項１０に記載の衛星受信システム。
【発明の詳細な説明】
【技術分野】
【０００１】
本発明は、１つ以上のユーザユニット（user unit）へのチャネルを含む信号帯の提供のための低ノイズコンバータ(low noise converter)を備えた電波中継局（head end）に関し、このような電波中継局を備えた衛星受信システム（satellite receiver system）に関する。
【背景技術】
【０００２】
このような電波中継局と衛星受信システムとは、EP-A-0 582 023.から知られている。この公知の衛星受信システムは、アンテナが接続され、そして低ノイズブロック（low noise block）または低ノイズコンバータとして知られている簡単なＬＮＢによって構成された電波中継局を備えている。ユーザにある、現在に近いユーザテレビセットであれば、各々のＬＮＢは、受信した衛星信号帯域を変換する、しばしはセットトップボックス（set-top box）と称される多くのユーザ制御受信ユニットに連結されている。そこで記述された４人のユーザのケースの場合、４つの受信装置と関連した個々の復調器とが接続されている。これらの受信装置は、単一共通ケーブルを通して個々のユーザに連結されている。求められたプログラムまたはチャネルのユーザによる選択は、各々の受信装置に付随する制御装置で実行される。
【０００３】
先行技術の衛星受信システムは、例えば、ユーザは一方のプログラムを見たいと要求しまたはインターネット接続を要求し、そして、同時に他方のプログラムの記録を要求する、ユーザが多様なサービスを要求する、例えば求められた多面的なユーザの拡大のケースでは、不順応性がもたらされる点で不利である。
【発明の開示】
【発明が解決しようとする課題】
【０００４】
それ故、改良されるとともにより順応的な、多様なユーザ受信に関する性能が拡大された電波中継局および衛星受信システムを提供することが本発明の目的である。
【課題を解決するための手段】
【０００５】
それに対し、本発明による電波中継局は、ユーザユニットへの１つ以上のユーザ事前選択チャネルを多重化するための周波数多重化手段を含む低ノイズコンバータは、  低ノイズチャネルコンバータ(low noise channel converter)として配置されることを特徴とする。
【０００６】
同様に、本発明による衛星受信システムは、そのような電波中継局を備え、この衛星受信システムは、１以上のユーザユニットに連結された低ノイズチャネルコンバータをさらに備えることを特徴とする。
【０００７】
本発明による電波中継局および衛星受信システムは、低ノイズチャネルコンバータの側の要求されたプログラムまたはチャネルの事前選択により、異なったユーザが選択したプログラムは、ユーザによって同時に受信される点で有利である。基本的に、ＬＮＢは、ここではチャネルコンバータとして動作し、すべての信号帯の代わりに要求されたチャネルのみが、ユーザユニットへの通信媒体でＲＦ多重化される。言い方をかえると、低ノイズチャネルコンバータは、電波中継局において、チャネルの変換を行う。これは順応性と多様なユーザの申し出とを拡張し、加えて、ある普通の既に現存する通信媒体が使用される。それ故、拡張したユーザの申し出にもかかわらず、追加の通信手段は、衛星受信システムのユーザ端で、電波中継局と、ユーザユニットまたはセットトップボックスと、の間に配置されなくてもよい。
【０００８】
さらに、周波数多重化手段は、コストの削減に反して、電波中継局や衛星受信システムで実現することが単純でかつ簡単である。
【０００９】
本発明による電波中継局や衛星受信システムのさらなる利点は、実際に要求されたチャネルがこの媒体に入力されたときのみ、提供された解法が、ユーザユニットへの受信機および通信媒体の減らされた線形性の要求をもたらすことである。
【００１０】
本発明による衛星受信システムの実施例は、低ノイズチャネルコンバータとユーザユニットとの間の連結は、単一の通信媒体、一般的な同軸ケーブル、を含むことを特徴とする。
【００１１】
ユーザの家庭環境で、既に取付けられ、受け入れられ、集積された１つの同軸ケーブルは、困難で高価な適応または拡張を必要としない点で有利である。
【００１２】
本発明に各々従った電波中継局および衛星受信システムのさらなる実施例は、低ノイズチャネルコンバータに連結された局部発振手段を備えることを特徴とする。
【００１３】
低ノイズチャネルコンバータにあるそれらの局部発振手段は、通信媒体の上方アンテナ終端で周波数変換および事前選択を促進する。
【００１４】
本発明に各々従った電波中継局および衛星受信システムのよりさらなる実施例は、局部発振手段が、可変局部発振周波数（variable local oscillator frequency）を供給するために配置されることを特徴とする。
【００１５】
可変局部発振周波数を供給することにより、通信媒体またはケーブルのチャネル周波数は、自由に指定されることができる。
【００１６】
本発明に各々従った電波中継局および衛星受信システムの他の実施例は、局部発振手段が、１つ以上のフェイズロックループを備えることを特徴とする。
【００１７】
そのようなフェイズロックループの周波数の正確な、小型化の、低電力消費の集積回路実装は、容易に実行可能である点で有利である。
【００１８】
したがって、本発明による衛星受信システムによれば、電波中継局は、合成回路を含み、衛星受信システムは、この合成回路に接続された１つ以上のさらなる低ノイズコンバータの並列配置をさらに備えることを特徴とする。
【００１９】
本発明による衛星受信システムの利点は、そのような合成回路は、さらなるスレーブＬＮチャネルコンバータ（further slave LN channel converter）に関係せず、さらなる低ノイズ（ＬＮ）チャネルコンバータは、あるマスタ電波中継局に存在する１つの合成回路を使用するので、追加の順応性を提供することである。
【００２０】
代替的には、すべてのＬＮチャネルコンバータを同等に保持することは有利である。
【００２１】
本発明による衛星受信システムの他の実施例は、各々の更なる低ノイズチャネルコンバータが、個々のユーザ事前選択受信チャネルをオンするための更なる局部発振手段が備えられていることを特徴とする。
【００２２】
それらの局部発振手段は、異なったＬＮチャネルコンバータから単一通信ケーブルに出力される受信チャネルの混合を許容する点で有利である。
【発明を実施するための最良の形態】
【００２３】
ここで、本発明による電波中継局と衛星受信システムは、添付された図面への参照が為されるとき、さらなるそれらの追加の有利さとともに、説明される。
【００２４】
図１は、アンテナ８に連結された低ノイズ（ＬＮ）コンバータ２の形の、低ノイズコンバータを備えた衛星受信システム１を示す。この衛星受信システム１は、普通、１つ以上のＲＦパワースプリッタ（ＲＦ power splitter）４を通して、ＬＮチャネルコンバータ２に連結された１つ以上のユーザユニット３をさらに備えている。このユーザユニット３はまた、セットトップボックス（set-top box）と称される。これらのユニット３は、標準的に、ラジオ、テレビジョンセットＴＶ、ビデオ装置などへのユーザが選択した入力信号を提供することができる。ユーザは、誰もが見たりビデオに記録したりしたいプログラムを運用するチャネルを選択することができる。図１に示すような衛星受信システム１の実施例において、ＬＮチャネルコンバータ２とユーザユニット３との間の連結は、ここでは、単一の同軸ケーブル５の形の、単一の通信媒体を備えている。図示するＬＮチャネルコンバータ２は、図２において細部が示されている周波数多重化手段６を含む。この手段６は、ユーザユニット３にＬＮチャネルコンバータ２で１つ以上の事前選択されたチャネルを多重化する。このように、通常、ＬＮチャネルコンバータ２とユーザユニット３との間にすでに配置された、単一の通信媒体またはケーブル５は、非常に多くの種類のプログラムを受信するのに用いられることができる。このように、すべてのＧＨｚ衛星周波数帯ではなく、要求されたチャンネルの事前選択は、ユーザユニット３に伝達される。ＬＮチャネルコンバータ２の側における多重化手段６によるプログラムの事前選択は、ＬＮチャネルコンバータ２とユーザユニット３との間のより硬く高価な通信ケーブル５の追加要求を回避する。ユーザユニット３とＬＮチャネルコンバータ２との間ではなく、空中を通した通信のいくつかの形式は、ＬＮチャネルコンバータ２における要求された事前選択のための必要なデータを送信するのに用いられることができる。ユーザユニット３からＬＮチャネルコンバータ２への上流に向かう通信に適したプロトコルは、デジタル衛星機器制御（Digital Satellite Equipment Control（DiSEqC )）プロトコルである。
【００２５】
図２は、衛星受信システム１の細部を概略的に示す。図示されるシステム１は、アンテナ８を開示しており、このアンテナ８の個々の水平の出力信号Ｈと垂直の出力信号Ｖとが個々に概略的にのみ図示された低ノイズの、例えば、ＧａＡｓ増幅器９とフィルタ１０に送られる。断路器/スイッチ１１を通過した後、周波数多重化手段６はさらに変換し、単一ケーブル５に選択されたチャネルを入力するためにプログラム周波数を選択する。周波数多重化手段６は、通常、通信媒体５の通過帯域への事前選択されたチャネルの周波数低下変換のためのミキサ１２とフィルタ１３の組合せである、チャネルコンバータを備えている。システム１は、局部発振手段１４を備えており、この手段１４はＬＮチャネルコンバータ２内のミキサ１２に連結されている。この局部発振手段１４は、選択されたプログラム周波数がケーブル通過帯域に配分されるようにするため、可変局部発振周波数を供給すべく配置されている。もちろん、この周波数下降変換（frequency down conversion）は、適切な局部発振手段１４を有する幾つか直列に接続されたミキサ段の手段によって実行されることができる。集積容易で低電力消費な、局部発振手段１４のＩＣ実装は、１つ以上のフェーズロックループを備えている。衛星受信システム１は、選択されたチャネルを単一ケーブル媒体５に入力するために、媒体５に連結された周波数変換回路１５を備えている。この場合には、２つの並列に接続されたＬＮチャネルコンバータ６の出力信号は、合成回路１５によって合成される。図１において、連結されたＬＮチャネルコンバータ２と合成回路１５とは、電波中継局を示すのに用いられる、参照符号７で一緒に設けられている。
【００２６】
さらに他の可能な実施例において、衛星受信システム１は、あるＬＮチャネルコンバータ２と合成回路１５と含むあるマスタ装置２、１５を備え、加えて、さらなるＬＮチャネルコンバータ２の形のスレーブ装置（slave unit）を備えている。このさらなるＬＮチャネルコンバータ２は、電波中継局７の今の拡張された合成回路１５に連結されている。さらなる並列接続のＬＮチャネルコンバータ２は、他の個々の受信チャネル周波数をオンするためのさらなる局部発振手段１４が備えられている。
【００２７】
既述のシステムの実施例において、衛星受信システムの動作は、すべての４ＧＨｚ衛星帯域を媒体５で伝達する代わりに、例えば４チャネルの事前選択のみが媒体５で伝達されるようになっている。この事前選択は、例えば、図２に示された上部のＬＮチャネルコンバータ２により受信された垂直偏向されたチャネルの高周波数部分と、中間部のＬＮチャネルコンバータ２により受信された水平偏向されたチャネルの低周波数部分と、下部のＬＮチャネルコンバータ２の水平偏向および垂直偏向されたチャネルの高周波数部分と、を備えるかも知れない。事前選択は、簡単で可変のではあるが、正確なＰＬＬ出力周波数により、媒体５の通過帯域において自由に配分されると有利であり、そして、費用効率の高い周波数多重化手段６だけではく、手段を小型化することができる。ＬＮＢ２とユーザユニット３との間の単一媒体５には要求されたチャネルのみが入力されるので、これは、システム部品と媒体間の減少された線形性の要求をもたらす。所望により、媒体５の信号のレベル制御の形式は、システム１に集積されるかも知れない。
【００２８】
衛星受信システム１のさらに他の実施例は、既述の部品１１、１２、および１３をチャネル変換手段６と確認することによって、説明されることができる。２つのチャネル変換手段６の並列配置は、ここでは、図２において点線で示され、６’で示された２つのさらなるチャネル変換手段を加えることにより拡張されることができる。この効果は、その場合において、あるアンテナ８が異なったチャネルを受信するために用いられることができるものである。例えば、電波中継局７の一部である４つのチャネル変換手段の並列配置は、それ故、同時に、４つのチャネルを処理する能力がある。さらに、点線は、合成回路１５への関連した入力を示す。
【図面の簡単な説明】
【００２９】
【図１】本発明による衛星受信システムの実施例の全体を示す図である。
【図２】本発明による詳細な衛星受信システムのさらに可能な実施例の組合せを示す図である。
【図１】
2006500863.tif 000003
【図２】
2006500863.tif 000004
【国際調査報告】
2006500863.tif 000005
2006500863.tif 000006
2006500863.tif 000007